(57)【要約】      （修正有）【課題】より絢爛で新奇な花火の燃焼態様を実現できる、より魅力的な玩具花火を提供する。【解決手段】玩具花火は、上部に充填された導火薬５と、底部に設けられて燃焼を阻止する底栓６と、導火薬５と底栓６との間に設けられ、狗尾草効果薬４が充填された狗尾草火薬筒１０と、手持ち棒７と、狗尾草火薬筒１０の外に同軸に設けられており、電光効果薬２で被覆された第１電光構造層１１及び第２電光構造層１２とを含む。第１電光構造層１１は、第２電光構造層１２より大きい。第１電光構造層１１及び前記第２電光構造層１２は、上端が点火薬１によって被覆され、下端が連結し、他の部分の電光効果薬２が互いに離間する。狗尾草花火と電光花花火の２種類の花火が１つの玩具花火に組み合わされており、手持ちで花火をするとき、２種類の花火は、３層に分けて燃焼し、下から上へそれから下への３重往復式の花火燃焼軌跡を有する。【選択図】図１
0003199793.tif 000002
【実用新案登録請求の範囲】
【請求項１】
上部に充填された導火薬と、
底部に設けられて燃焼を阻止する底栓と、
導火薬と底栓との間に設けられ、狗尾草効果薬が充填された狗尾草火薬筒と、
手持ち棒とを含む玩具花火であって、
前記狗尾草火薬筒の外に同軸に設けられており、電光効果薬で被覆された第１電光構造層及び第２電光構造層を含み、
前記第１電光構造層は、前記第２電光構造層より大きく、
前記第１電光構造層及び前記第２電光構造層は、上端が点火薬によって被覆され、下端が連結し、他の部分の電光効果薬が互いに離間する
ことを特徴とする玩具花火。
【請求項２】
請求項１に記載の玩具花火であって、
内層と、中層と、外層とを含み、
前記内層は、狗尾草花火の構造形式と燃焼態様であり、
中層と外層とは、電光花火の構造形式と燃焼態様であることを特徴とする玩具花火。
【請求項３】
請求項１に記載の玩具花火であって、
前記第１電光構造層と前記第２電光構造層との間、前記第２電光構造層と前記狗尾草火薬筒との間には、それぞれ断熱層が設けられることを特徴とする玩具花火。
【請求項４】
請求項１から３のいずれか１項に記載の玩具花火であって、
前記狗尾草火薬筒と前記手持ち棒とは、一体の中空直線筒であり、当該中空直線筒は、紙が巻きつけてられていることを特徴とする玩具花火。
【請求項５】
請求項１から３のいずれか１項に記載の玩具花火であって、
前記手持ち棒は、狗尾草火薬筒の底部に挿入されて固定される竹竿又は木柱であることを特徴とする玩具花火。
【考案の詳細な説明】
【技術分野】
【０００１】
本考案は、玩具花火に関し、特に手持ちの玩具花火に関する。
に関する。
【背景技術】
【０００２】
狗尾草のような従来の手持ちの玩具花火は、通常、手持ち棒と火薬筒とを有し、花火火薬が火薬筒に入れ込まれる。手持ち棒を握り、火薬筒の上部から花火火薬を燃焼させることで楽しむ。
【０００３】
しかし、従来の玩具花火は、いずれも燃焼態様が同様であり、一種の花火火薬が１方向に燃焼するものが多い。その燃焼態様について、絢爛さが足りず、新鮮さと新奇さを欠くため、玩具花火の製品としての魅力が不足していた。
【考案の概要】
【考案が解決しようとする課題】
【０００４】
本考案は、上述の事情に鑑みてなされたものであって玩具花火の製品としての魅力を向上させることを目的とする。
【課題を解決するための手段】
【０００５】
上述の目的を達成するため、本考案に係る玩具花火は、上部に充填された導火薬と、
底部に設けられて燃焼を阻止する底栓と、
導火薬と底栓との間に設けられ、狗尾草効果薬が充填された狗尾草火薬筒と、
手持ち棒とを含む玩具花火であって、
前記狗尾草火薬筒の外に同軸に設けられており、電光効果薬で被覆された第１電光構造層及び第２電光構造層を含み、
前記第１電光構造層は、前記第２電光構造層より大きく、
前記第１電光構造層及び前記第２電光構造層は、上端が点火薬によって被覆され、下端が連結し、他の部分の電光効果薬が互いに離間する。
【０００６】
内層と、中層と、外層とを含み、
前記内層は、狗尾草花火の構造形式と燃焼態様であり、
中層と外層とは、電光花火の構造形式と燃焼態様であってもよい。
【０００７】
狗尾草効果薬が最も内部の層の狗尾草火薬筒に充填され、電光効果薬が狗尾草火薬筒の外に被覆され、これにより、第１電光構造層と第２電光構造層とが形成される。３層が底栓と手持ち棒を共用することにより、狗尾草花火と電光花火の２種類の花火を１つの玩具花火に組み合わせた３層構造が形成される。手持ちで花火をするとき、２種類の花火を組み合わせた３層構造の玩具花火は、所定の軌道に沿って順に燃焼し、下から上へそれから下へと３重往復式の軌道を形成するように燃焼し、より絢爛で新奇な花火の燃焼態様を実現し、玩具花火の製品としての魅力を向上させることができる。
【０００８】
前記第１電光構造層と前記第２電光構造層との間、前記第２電光構造層と前記狗尾草火薬筒との間には、それぞれ断熱層が設けられる。
【０００９】
前記狗尾草火薬筒と前記手持ち棒は、一体の中空直線筒であり、当該中空直線筒は、紙が巻きつけられている。紙製の中空直線筒を狗尾草火薬筒と手持ち棒との両方として兼用することにより、従来の玩具花火の手持ち棒用の竹ひご、竹竿又は木柱などの原材料を節約し、玩具花火の生産過程における複数の工程を省くことができるため、人的コストと原材料の消費を低減させることができる。印刷しておいた紙が中空直線筒に巻きつけられる場合、中空直線筒の作成と同時に、玩具花火の外観に装飾を容易に施すことができ、玩具花火の意匠性を高め、専門的な装飾工程を省き、手間を低減させることができる。
【００１０】
前記手持ち棒は、狗尾草火薬筒の底部に挿入されて固定される竹竿又は木柱である。
【考案の効果】
【００１１】
本実用新案の利点は、以下である。
１．構造が簡単であり、合理的である。本考案に係る玩具花火では、狗尾草花火と電光花火の２種類の花火が１つの玩具花火に組み合わされており、手持ちで花火をするとき、２種類の花火を含んで３層構造をなす玩具花火は、３層の各層が個別に順次、下から上へそれから下へと３重往復式の軌道を形成するように燃焼し、より絢爛で新奇な花火の燃焼態様を実現し、玩具花火の製品としての魅力を向上させることができる。
２．燃焼を阻止する底栓により狗尾草効果薬の底部を封止して燃焼を遮断することにより、手持ちで花火をするときの安全性を向上させることができる。
３．紙製の中空直線筒を狗尾草火薬筒と手持ち棒との両方として兼用することにより、従来の玩具花火の手持ち棒用の竹ひご又は木柱などの原材料を節約し、玩具花火の生産過程における複数の工程を低減することができるため、人的コストと原材料の消費を減少させることができる。
４．中空直線筒は、印刷しておいた紙をその印刷面が外となるように巻きつけることにより作られるので、中空直線筒の作成と同時に、玩具花火の外観に容易に装飾を施すことができ、玩具花火の意匠性を高め、専門的な装飾工程を省き、手間を低減せせることができる。
【図面の簡単な説明】
【００１２】
【図１】本考案の実施の形態１に係る玩具花火の構造を示す模式図である。
【図２】本考案の実施の形態２に係る玩具花火の構造を示す模式図である。
【図３】本実用新案の燃焼態様を説明するための模式図である。
【考案を実施するための形態】
【００１３】
本考案の上記の目的、特徴及び利点をより明らかにし、理解し易くくするために、以下、図面を参照しつつ、本考案の具体例である実施の形態についてさらに説明する。
【００１４】
実施の形態１．
図１、図３に示すように、本考案の一実施の形態に係る玩具花火は、手持ちの３層往復燃焼式の玩具花火であって、狗尾草火薬筒１０と、手持ち棒７とを含む。狗尾草火薬筒１０は、上部に導火薬５が充填され、底部に燃焼を阻止するための底栓６が設けられる。導火薬５と底栓６との間の狗尾草火薬筒１０内には、狗尾草花火（いわゆる、すすき花火など）と同様の態様で燃焼する火薬である狗尾草効果薬４が充填される。狗尾草火薬筒１０の外には、電光花火（いわゆる、線香花火など）と同様の態様で燃焼する火薬である電光効果薬２で被覆した第１電光構造層１１、第２電光構造層１２が同軸に設置される。ここで、第１電光構造層１１は、第２電光構造層１２より大きく、かつ、第１電光構造層１１と第２電光構造層１２は、上端に点火薬１が被覆され、下端が連結し、他の部分（上端及び下端以外の部分）の電光効果薬２が互いに離間する。
【００１５】
本考案に係る玩具香花火では、狗尾草効果薬４が、最も内部の層の狗尾草火薬筒１０の内部に充填され、電光効果薬２が、狗尾草火薬筒１０の外に被覆される。これにより、第１電光構造層１１と第２電光構造層１２とが形成される。３層で底栓６と手持ち棒７とを共用することにより、狗尾草花火と電光花火の２種類の花火を１つの玩具花火に組み合わせた、３層構造の玩具花火が形成される。手持ちで花火をするとき、２種類の花火を組み合わせた３層構造の玩具花火は、所定の軌道に沿って順に燃焼し、下から上へそれから下へと３重往復式の軌道を形成するように燃焼し、より絢爛で新奇な花火の燃焼態様を実現し、玩具花火の製品としての魅力を向上させることができる。
【００１６】
花火をするとき、まず外の層の点火薬１が点火され、それから第１電光構造層１１内の電光効果薬２が導火し、電火花の燃焼態様で下へ向かって燃焼する。燃焼して第１電光構造層１１の下端になると、第２電光構造層１２内の電光効果薬２が引き続き燃焼し、折り返して上へ向かって燃焼する。燃焼して第２電光構造層１２の上部になると、狗尾草火薬筒１０の上部の導火薬５は、着火温度に達する。それから内層の狗尾草効果薬４が点火され、下へ向かって燃焼する。このように、３層構造の玩具花火の花火火薬は、それぞれの軌道に沿って順に燃焼する。すなわち、下へ燃焼する――折り返して上へ向かう−−再び折り返して下へ燃焼するという花火の燃焼軌道を形成する。同時に、２種類の燃焼態様を有する花火火薬は、順に赤、緑、青、黄、白、紫、黄金色、パチパチ飛び出る火の玉など異なる色彩になり、多様に変化しつつ多様な軌道で燃焼するという燃焼態様を実現し、全体としての視覚的に芸術的な効果が大幅に向上する。図３を参照する。
【００１７】
さらに、前記第１電光構造層１１と第２電光構造層１２との間、第２電光構造層１２と前記狗尾草火薬筒１０との間には、それぞれ断熱層３が設けられる。具体的には、保温材料を利用して断熱層３が設けられ、これによって、内層、中層、外層の３層が離間する。ここで、内層は、狗尾草花火の構造形式と燃焼態様であり、中層と外層は、電光花火の構造形式と燃焼態様である。
【００１８】
手持ち棒７について、従来の玩具花火と同様の竹竿、木柱などを狗尾草火薬筒１０の下部に挿入させ、のり９で接着して狗尾草火薬筒１０の筒壁に固定させる。
【００１９】
竹ひご、竹竿または木柱で手持ち棒７を作成する場合、玩具花火は以下のような工程により製造される。
工程１：狗尾草効果薬４と導火薬５を最も内部の層の狗尾草火薬筒１０に入れ込み、底栓６をしっかり固定する。
工程２：竹ひご又は木柱を狗尾草火薬筒１０の下部に挿入して、底栓６に接触させ、のり９で竹ひご又は木柱を狗尾草火薬筒１０の筒壁に固定して手持ち棒７を形成する。
工程３：工程２で固定した半製品をクランプフレームに載置し、半製品に適宜の順で第１電光構造層１１の電火花効果薬２――断熱層３――第２電光構造層１２の電火花効果薬２と点火薬１とを付け、それから乾燥などの工程を経て、フレームから解放させると、１つの製品として完成した玩具花火を得られる。
【００２０】
実施の形態２．
図２に示すように、本実施の形態では、狗尾草火薬筒１０と手持ち棒７は、一体の中空直線筒８であり、中空直線筒８は、紙を巻きつけてなるという点で、実施の形態１と異なる。
【００２１】
本実施の形態では、紙製の中空直線筒８を狗尾草火薬筒１０と手持ち棒７との両方として兼用することにより、従来の線香玩具花火の手持ち棒７用の竹ひご又は木柱などの原材料を節約し、玩具花火の生産過程における複数の工程を省くことができるため、人的コストと原材料の消費を低減させることができる。
【００２２】
紙製の中空直線筒８の場合、当該玩具花火の製造工程は、以下である。
工程１：（印刷しておいた）紙を中空直線筒（概ね真っ直ぐに延びた中空の筒状部材）に巻き付け、最も内部の層の狗尾草効果薬４と導火薬５を入れ込み、それから石膏粉末を入れ込み、燃焼を阻止する底栓６とする。
工程２：固定した半製品をクランプフレームに載置し、半製品に適宜の順で第１電光構造層１１の電火花効果薬２――断熱層３――第２電光構造層１２の電火花効果薬２と点火薬１とを付け、それから乾燥などの工程を経て、フレームから解放させると、１つの完成した玩具花火を得られる。
【００２３】
さらに、中空直線筒８は、印刷しておいた紙をその印刷面が外となるように巻きつけることにより作られるので、中空直線筒８の作成と同時に、玩具花火の外観に装飾を容易に施すことができ、玩具花火の意匠性を高め、専門的な装飾工程を省き、手間を低減させることができる。
【００２４】
他の技術的特徴は、実施の形態１と同一であるため、ここでは繰り返して説明しない。
【００２５】
本考案の効果は、以下の通りである。
１．構造が簡単であり、合理的である。本考案に係る玩具花火では、狗尾草花火と電光花火の２種類の花火が１つの玩具花火に組み合わされており、手持ちで花火をするとき、２種類の花火が組み合わされた３層構造の玩具花火は、３層の各層が個別に順次、下から上へそれから下へと３重往復式の軌道を形成するように燃焼し、より絢爛で新奇な花火の燃焼態様を実現し、玩具花火の製品としての魅力を向上させることができる。
２．燃焼を阻止する底栓６により狗尾草効果薬４の底部を封止して燃焼を遮断することにより、手持ちで花火をするときの安全性を向上させることができる。
３．紙製の中空直線筒８を狗尾草火薬筒１０と手持ち棒７との両方として兼用することにより、従来の玩具花火の手持ち棒用の竹ひご又は木柱などの原材料を節約し、玩具花火の生産過程における複数の工程を低減することができるため、人的コストと原材料の消費を減少させることができる。
４．中空直線筒８は、印刷しておいた紙をその印刷面が外となるように巻きつけることにより作られるので、中空直線筒８の作成と同時に、玩具花火の外観に容易に装飾を施すことができ、玩具花火の意匠性を高め、専門的な装飾工程を省き、手間を低減させることができる。
【００２６】
以上列挙した詳細な説明は、本考案の実施可能な例に関する説明である。これらの実施の形態は、本考案の範囲を限定するためのものではない。本考案を逸脱せずに為した同等効果を奏する形態又は変更は、いずれも本願の考案の範囲に含まれるべきである。
【符号の説明】
【００２７】
１：点火薬
２：電光効果薬
３：断熱層
４：狗尾草効果薬
５：導火薬
６：底栓
７：手持ち棒
８：中空直線筒
９：のり
１０：狗尾草火薬筒
１１：第１電光構造層
１２：第２電光構造層
【図１】
0003199793.tif 000003
【図２】
0003199793.tif 000004
【図３】
0003199793.tif 000005